(57)【要約】【課題】複数の物品を容易且つ確実に管理することができるようにする。【解決手段】異なるＩＤが付せられた複数の物品を１枚の画像として撮像装置１２により撮影するとともに、前記複数の物品に付せられた無線タグのＩＤを、タグＩＤ受信カード１０を用いて受信し、前記受信した複数の無線タグのＩＤが同一のグループに属することを表すグループＩＤを、前記受信した各々の無線タグのＩＤに属性として付加し、前記付加したグループＩＤと、前記撮影した１枚の画像とを対応付けてデータメモリ（データベース）６に格納することにより、前記複数の物品に対応するＩＤをデータベースに予め入力することなく登録して前記複数の物品をグルーピングするようにし、前記複数の物品を容易且つ確実に管理することができるようにする。【選択図】      図１
2004258908.tif 000002
【特許請求の範囲】
【請求項１】
複数の物品に付せられた複数の無線タグのＩＤ（ｉｄｅｎｔｉｆｉｃａｔｉｏｎ）を受信する受信手段と、
前記受信手段により受信された複数の無線タグのＩＤが、同一のグループに属することを表すグループＩＤを、前記受信手段により受信された各々の無線タグのＩＤに、属性として付加するグループＩＤ付加手段と、
前記複数の無線タグのＩＤと、前記複数の無線タグのＩＤに関連する前記複数の物品の情報とを対応付ける対応付け手段とを含むことを特徴とする物品管理装置。
【発明の詳細な説明】
【０００１】
【発明の属する技術分野】
本発明は、物品管理装置に関し、特に、物品に付せられた無線タグを用いて物品を管理するために用いて好適なものである。
【０００２】
【従来の技術】
従来、物品の管理を軽減する方法として、物品に付けられた無線タグのＩＤを受信する無線ＩＤ受信装置を用いた物品管理方法がある。
このような物品管理方法の第１の従来例として、特開平１０−４９７５６号公報（テック；特許文献１）に記載されている技術がある。かかる技術では、商品ごとに専用の無線タグを作成し、前記無線タグを使って籠内の商品を取り出さずに登録作業を行い、前記商品の納品先により登録リストを切替えて前記商品を管理するようにしている。
【０００３】
また、第２の従来例として、特開２００１−３９５３３号公報（ダスキン、東芝ＦＡＳ；特許文献２）には、無線タグを用いた仕分け装置について開示されており、１つに纏められた複数の物品が、同一の宛先に正しく仕分けされるかをチェックする技術について開示されている。
【０００４】
さらに、第３の従来例として、特開２０００−１１３０７７号公報（東芝情報Ｓ；特許文献３）には、無線タグを物品識別用と、収納される区画用との双方に備えて物品を管理する技術について開示されている。
【０００５】
【特許文献１】
特開平１０−４９７５６号公報
【特許文献２】
特開２００１−３９５３３号公報
【特許文献３】
特開２０００−１１３０７７号公報
【０００６】
【発明が解決しようとする課題】
しかしながら、前記第１〜第３の従来の技術では、いずれも物品に対応するＩＤ番号を納入先や仕分け先毎に対応つけた表をあらかじめコンピュータ等で入力しておかなければならず、入力の手間や入力ミスを犯しやすいという欠点があった。
【０００７】
本発明は前述の問題点に鑑みてなされたものであり、複数の物品を容易且つ確実に管理することができるようにすることを目的とする。
【０００８】
【課題を解決するための手段】
本発明の物品管理装置は、複数の物品に付せられた複数の無線タグのＩＤ（ｉｄｅｎｔｉｆｉｃａｔｉｏｎ）を受信する受信手段と、前記受信手段により受信された複数の無線タグのＩＤが、同一のグループに属することを表すグループＩＤを、前記受信手段により受信された各々の無線タグのＩＤに、属性として付加するグループＩＤ付加手段と、前記複数の無線タグのＩＤと、前記複数の無線タグのＩＤに関連する前記複数の物品の情報とを対応付ける対応付け手段とを含むことを特徴としている。
【０００９】
【発明の実施の形態】
以下、図面を用いて本発明の一実施形態を詳細に説明する。
図１は、本実施形態における携帯情報処理端末のハードウェア構成の一例を示すブロック図である。
図１において、１は、データを入力する入力手段（入力部）であり、ここでは、ハードキーのシャッターボタン（決定ボタン）、通信ボタン、撮影−表示モード切替えボタン、属性追加−検索切替えボタン、及びグループｏｎ／ｏｆｆボタンなどの操作に基づいた入力信号を受け付ける。
【００１０】
２は、入力手段１で入力されたデータや、データメモリ６内のデータや、操作の為のユーザーインターフェースなどを表示する表示手段（表示部）である。
【００１１】
３は、入出力インターフェース（Ｉ／Ｆ）部であり、後述するプログラム処理にしたがって入力手段１からのデータ読みこみや、表示手段２へのデータ出力や、その他の信号の入出力を行うためのインターフェース（Ｉ／Ｆ）回路である。
【００１２】
４は、ＭＰＵ（Ｍｉｃｒｏ  Ｐｒｏｃｅｓｓｉｎｇ  Ｕｎｉｔ）であり、各種処理のための演算や、論理判断等を行い、カードスロット１１及びカメラインターフェース（Ｉ／Ｆ）１３からの入力を処理すると同時に指示出力を行い、バス９に接続された各構成要素を制御する。
【００１３】
図１においてＭＰＵ４の入力端子の一つであるカードスロット１１は、各種機能カードの挿入により機能を拡張する為の入力端子であり、本実施形態では、無線タグＩＤ受信カード１０の挿入を想定している。
【００１４】
同じくカメラインターフェース（Ｉ／Ｆ）端子１３は、本端末に接続可能な撮像装置１２からの撮像データを入力する為の入力端子である。
５は、プログラムメモリであり、フローチャートにつき後述する処理手順を含むＭＰＵ４による制御のためのプログラムを格納するメモリである。なお、プログラムメモリ５は、ＲＯＭであってもよいし、外部記憶装置などからプログラムがロードされるＲＡＭであってもよい。
【００１５】
６は、データメモリであり、各種処理で生じたデータを格納する。このデータメモリ６は、例えばＲＡＭやＲＯＭである。
７は、ファイルデータベース（ファイルＤＢ）であり、データメモリ６に入力された複数のファイルデータが格納されている。
【００１６】
８は、ＩＤテーブルであり、ファイルデータベース（ファイルＤＢ）７の各データを関連付けるリンクデータが格納されている。
９は、ＭＰＵ４の制御の対象となる各構成要素を指示するアドレス信号や、前記各構成要素を制御するためのコントロール信号や、前記各構成要素の相互間でやりとりされるデータなどの転送を行うためのバスである。
【００１７】
１０は、タグＩＤ受信カードであり、無線タグからのタグＩＤ（ｉｄｅｎｔｉｆｉｃａｔｉｏｎ）信号を受信する為のものであり、電磁波発生器及び受信機を内蔵する。また、この受信機は撮像装置１２の撮像方向とほぼ同じ方向の指向性を有していると共に、撮像装置１２の撮像視野にほぼ対応した角度の受信指向性を有している。そのためには、カードスロットは同じ方向に向いていることが望ましい。
また、更には、撮像機能とタグＩＤ受信機能とが一体的にカードや管理装置本体に内蔵されていることが望ましい。
１１はカードスロットであり、本端末に各種機能カードを挿入して機能を拡張する為の入力端子である。
【００１８】
１２は撮像装置であり、光学像を形成するレンズと、レンズによって形成された光学像を電気的な像信号に変換するＣＣＤやＣＭＯＳ等の撮像素子とを内蔵している。
１３は、撮像装置１２と本端末とを接続するカメラインターフェース（Ｉ／Ｆ）である。
以上のように、本実施形態では、前記携帯情報端末と、タグＩＤ受信カード１０と、撮像装置１２とにより物品管理装置が構成される。
【００１９】
図２は、本実施形態の携帯情報処理端末におけるシステム全体の流れを示すフローチャートである。
同図に示すように、電源が投入されるとシステムが起動し、ステップｓ２０１において、電源がＯＮされるまで待機する。そして、電源がＯＮされると、ステップｓ２０２において、電源ＯＮ手段を起動し、電源を起動する。
【００２０】
次に、ステップｓ２０３において、電源がＯＦＦされたと判断された場合は、ステップｓ２２０に進み、システム終了手段を起動し、システムを終了する。
【００２１】
一方、ステップｓ２０３において、電源がＯＦＦされたと判断されない場合は、ステップｓ２０４に進み、撮影−表示モード切替えボタン（入力手段１）の操作内容に基づいて、モードが撮影であるか、それとも表示であるかを判断する。この判断の結果、モードが撮影であった場合にはステップｓ２０５に進み、通信ボタンまたはシャッターボタン（入力手段１）による入力を待つ。
【００２２】
ステップｓ２０５で、前記通信ボタンが押された場合は、ステップｓ２０９に進んで受信手段を起動し、受信可能範囲にある無線タグのＩＤ（ｉｄｅｎｔｉｆｉｃａｔｉｏｎ）を受信する。そして、続くステップｓ２１０において、受信ＩＤ表示手段を起動し、ステップｓ２０９で受信した無線タグのＩＤに対応する画像を、データメモリ６（データベース）より抽出して表示手段２に表示し、ステップｓ２０３に戻る。
【００２３】
前記ステップｓ２０５で、前記シャッターボタンが押された場合は、ステップｓ２０６に進み、撮影手段を起動し、撮像装置１２により撮影を実行する。
【００２４】
そして、続くステップｓ２０７で前記受信手段を自動的に起動し、受信可能範囲にある無線タグのＩＤを受信する。
次に、ステップｓ２０８においてＩＤ登録手段を起動し、受信した無線タグのＩＤをデータメモリ（データベース）６に登録し、ステップｓ２０３に戻る。
【００２５】
前記ステップｓ２０４における判断の結果、モードが表示であった場合には、ステップｓ２１１に進み、選択画面表示手段を起動し、選択画面を表示手段２に表示する。
次に、ステップｓ２１２において、ユーザによる入力手段１の操作入力を待つ。
このステップｓ２１２において、カーソルキーの操作に基づく入力であった場合には、その他の入力があるまで待機する。
【００２６】
そして、前記ステップｓ２１２において、撮影−表示モード切替えボタンの操作に基づく入力であった場合には、ステップｓ２０３に戻り、ステップｓ２０３以降の対応する処理を実行する。
【００２７】
また、前記ステップｓ２１２において、属性登録ボタンが押された場合は、ステップｓ２１３に進み、属性登録手段を起動して前記選択画面にて選択された画像のＩＤに属性を追加登録して、ステップｓ２０３に戻る。
【００２８】
また、前記ステップｓ２１２において、通信ボタンが押された場合は、ステップｓ２１４に進み、前記受信手段を起動し、受信可能範囲にある無線タグのＩＤを受信する。
【００２９】
そして、続くステップｓ２１５で照合手段を起動し、前記選択画面にて選択された画像に対応するＩＤと、ステップｓ２１４で受信した無線タグのＩＤとを照合する。
【００３０】
次に、ステップｓ２１６において、通知手段を起動し、ステップｓ２１５における照合結果をユーザに通知して、ステップｓ２０３に戻る。
【００３１】
また、前記ステップｓ２１２において、グループｏｎ／ｏｆｆボタンが押された場合は、ステップｓ２１７に進み、グループ化手段を起動し、前記選択画面にて選択された結果に応じてグループ化処理、またはグループ解除処理を実行し、ステップｓ２０３に戻る。
【００３２】
また、前記ステップｓ２１２において、決定ボタンが押された場合は、ステップｓ２１８に進み、前記選択画面において現在選択中の画像を全画面表示し、ステップｓ２０３に戻る。
【００３３】
図３は、本実施形態の携帯情報処理端末における前記受信手段を起動させたときの第１の流れを示すフローチャートである。
同図に示すように、前記受信手段が起動されると、ステップｓ３０１において、前記無線タグのＩＤが取得できたか否かを判断し、前記無線タグのＩＤが取得できた場合には、ステップｓ３０２に進む。
【００３４】
そして、ステップｓ３０２において、テンポラリリスト生成手段を起動し、前記取得した無線タグのＩＤよりテンポラリの受信ＩＤリストを生成して終了する。
【００３５】
一方、前記ステップｓ３０１において、前記無線タグのＩＤを取得できない場合には、以降の処理を行わずエラーを返して終了する。
【００３６】
図４は、本実施形態の携帯情報処理端末における前記ＩＤ登録手段を起動させたときの流れを示すフローチャートである。  同図に示すように、前記ＩＤ登録手段が起動されると、ステップｓ４０１において、前記ステップｓ３０２において作成されたテンポラリの受信ＩＤリストを参照し、前記テンポラリの受信ＩＤリストのデータが複数存在する場合は、ステップｓ４０２に進み、データメモリ（データベース）６にあるグループＩＤの末尾を１つ足し、グループＩＤに「グループＩＤの末尾＋１」をセットする。
【００３７】
一方、前記ステップｓ４０１において、前記テンポラリの受信ＩＤリストのデータが１つ以下の場合は、ステップｓ４０３に進み、グループＩＤに「ｎｕｌｌ」をセットする。
【００３８】
次に、ステップｓ４０４において、処理対象を受信ＩＤリストの先頭にセットする。
次にステップｓ４０５において、受信ＩＤリストの処理が終了であるか否かを判断し、終了で無い場合には、ステップｓ４０６に進み、前記処理対象の物品に付された無線タグのＩＤ（受信したＩＤ）と、撮影された画像データを参照するためのサムネイルＩＤと、グループＩＤとをセットにしてデータメモリ（データベース）６のＩＤテーブル８に追加する。
【００３９】
そして、続くステップｓ４０７において、受信ＩＤリストの処理対象を１つ進め、ステップｓ４０５に戻り、受信ＩＤリストの処理対象が全て終了するまでステップｓ４０５からステップｓ４０７までの処理を繰り返す。
そして、ステップｓ４０５において、受信ＩＤリストの処理が全て終了と判断された場合には、処理を終了する。
【００４０】
図５は、本実施形態の携帯情報処理端末における前記属性登録手段を起動させたときの流れを示すフローチャートである。  同図に示すように、前記属性登録手段が起動されると、まずステップｓ５０１において、登録画面を表示手段２に表示する。
次に、ステップｓ５０２において、入力エリアの先頭にカーソルをセットする。
【００４１】
次に、ステップｓ５０３において、カーソルキーが選択された場合には、ステップｓ５０４に進み、前記入力エリアを移動する。
一方、前記ステップｓ５０３において、ペンが選択された場合には、ステップｓ５０５に進み、ペン入力手段を起動してペン入力を行う。
【００４２】
次に、ステップｓ５０６で、登録ボタンが押されるまでステップｓ５０３からステップｓ５０６を繰り返し、ステップｓ５０６で登録ボタンが押されると、ステップｓ５０７に進み、入力されたデータをデータメモリ（データベース）６のＩＤテーブル８に登録して、処理を終了する。
【００４３】
図６は、本実施形態の携帯情報処理端末における前記受信ＩＤ表示手段を起動させたときの処理の流れを示すフローチャートである。
同図に示すように、前記受信ＩＤ表示手段が起動されると、まずステップｓ６０１において、受信ＩＤリストが存在するか否かを判断し、受信ＩＤリストが存在する場合には、ステップｓ６０２に進み、受信ＩＤリストと一致するデータをＩＤテーブル８から取得する。
【００４４】
次に、ステップｓ６０３において、ステップｓ６０２で取得されたＩＤテーブル８のデータを表示手段２に表示し処理を終了する。  一方、ステップｓ６０１において、受信ＩＤリストが存在しない場合には、ステップｓ６０４に進み、「受信範囲にＩＤは存在しません」等のメッセージを表示手段２に表示し処理を終了する。
【００４５】
図７は、本実施形態の携帯情報処理端末における前記所定の照合手段を起動させたときの流れを示すフローチャートである。
同図に示すように、前記照合手段が起動されると、ステップｓ７０１において、前記選択画面により選択された画像サムネイルに対応づけられたデータをＩＤテーブル８より取得して選択リストを生成し、カウンタを０にセットする。
【００４６】
次にステップｓ７０２において、前記選択リストに対する処理が終了していない場合には、ステップｓ７０３に進み、さらに受信ＩＤリストに対する処理が終了していない場合には、ステップｓ７０４に進み、前記選択リストと受信ＩＤリストとを比較チェックする。
【００４７】
このステップｓ７０４において、前記選択リストと受信ＩＤリストとが一致する場合には、ステップｓ７０６に進み、前記カウンタを１つ進める。
次に、ステップｓ７０７において、処理対象の選択リストを１つ進め、ステップｓ７０２に戻る。
【００４８】
一方、前記ステップｓ７０４において、処理対象の選択リストと受信ＩＤリストとが一致しない場合には、ステップｓ７０５に進み、受信ＩＤリストを１つ進める。
【００４９】
そして、前記ステップｓ７０３において、受信ＩＤリストに対する処理が終了した場合には、ステップｓ７０８に進み、処理対象の選択リストを検出失敗バッファに書き込み、ステップｓ７０７に進む。
【００５０】
前記ステップｓ７０２において、選択リストに対する処理が終了している場合には、ステップｓ７０９に進み、選択リストのＩＤ数と受信リストのＩＤ数とカウンタの数とを比較し、これらが一致する場合は「Ｔｒｕｅ」を返して処理を終了する。
一方、前記ステップｓ７０９において、選択リストのＩＤ数と受信リストのＩＤ数とカウンタの数とが一致しない場合は「Ｆａｌｓｅ」を返して処理を終了する。
【００５１】
図８は、本実施形態の携帯情報処理端末における前記通知手段を起動させたときの流れを示すフローチャートである。
同図に示すように、前記通知手段が起動されると、ステップｓ８０１において、前記ステップｓ７０９における比較の結果がＴｒｕｅ（前記ステップｓ７０９でＹｅｓ）である場合には、ステップｓ８０３に進み、検出成功手段を起動し、「指定のＩＤは全て正しく検出されました。」等のメッセージを表示手段２に表示するなどして対応する処理を実行する。
【００５２】
前記ステップｓ８０１において、前記ステップｓ７０９における比較の結果がＦａｌｓｅ（前記ステップｓ７０９でＮｏ）である場合には、ステップｓ８０２に進み、さらに検出失敗バッファの値が「ｎｕｌｌ」でない場合には、ステップｓ８０４に進み、前記検出失敗バッファに格納されたＩＤを、検出失敗ＩＤとして取得する。
【００５３】
そして、ステップｓ８０５において、第１のエラー処理を起動し、「以下のＩＤは検出できませんでした。”検出失敗ＩＤ”。」等の警告メッセージを表示手段２に表示するなどして対応する処理を実行する。
【００５４】
また、前記ステップｓ８０１において、前記ステップｓ７０９における比較の結果がＦａｌｓｅ（前記ステップｓ７０９でＮｏ）であり、かつステップｓ８０２において検出失敗バッファの値が「ｎｕｌｌ」であると判断した場合には、ステップｓ８０６に進み、第２のエラー処理を起動し、「未指定の無線タグを受信しました。」等の警告メッセージを表示手段２に表示するなどして対応する処理を実行する。
【００５５】
図９は、本実施形態における携帯情報処理端末の概観の第１の例を示す図である。
同図に示すように、携帯情報処理端末９０１は、タグＩＤ受信カード１０と、撮像装置１２と接続可能であり、ファインダ兼表示部（前記表示手段２）９１０と、ハードボタン（入力手段１）としてシャッターボタン９１１、カーソルキー９１２、決定ボタン９１３、表示−撮影モード切替えボタン９１４、及び通信ボタン９１５とを備えるものとする。
【００５６】
物品９０２ａ〜９０２ｅには、それぞれ異なるＩＤを有する無線タグ９０３ａ〜９０３ｅが付加されている。なお、本実施形態では、任意の物品に対して、ユニークなＩＤを持つ微小な無線タグを付加することが可能である。
【００５７】
図１０は、本実施形態における携帯情報処理端末のデータベース構造の一例を示す図である。
同図に示すように、本実施形態の携帯情報処理端末のデータメモリ（データベース）６には、種々のＩＤリスト１００１が格納されている。
具体的に説明すると、無線タグＩＤリスト、グループＩＤリスト、画像サムネイルＩＤリスト、属性リンクＩＤリストとがそれぞれ格納されており、ＩＤテーブル８によりこれらが関連付けられている。
【００５８】
図１１は、本実施形態の携帯情報端末で撮影及びＩＤ登録を行う際の概念を説明するイメージ図である。
同図（ａ）に示すように、表示−撮影モード切替えボタン９１４により撮影モードに設定されているときにシャッターボタン９１１が押されると、撮像装置１２により物品９０２の撮影が行われる。
【００５９】
そして、物品９０２が撮影された後に、同図（ｂ）に示すように、前記受信手段が自動的に起動し、受信した無線タグのＩＤと、撮影された画像のサムネイルデータとをファインダ兼表示部９１０に表示し、データメモリ（データベース）６に格納する。
【００６０】
図１２は、本実施形態の携帯情報端末で撮影及び登録を伴わない受信ＩＤリストを表示する際の概念を説明するイメージ図である。
【００６１】
同図（ａ）に示すように、表示−撮影モード切替えボタン９１４により撮影モードに設定されているときに、ファインダ兼表示部９１０に被写体１２００を表示した状態で通信ボタン９１５が押されると、同図（ｂ）に示すように、被写体１２００の近傍にある（ファインダ兼表示部９１０に表示される範囲内で）受信可能な無線タグ９０３ａ〜９０３ｃのＩＤが受信される。
【００６２】
そして、同図（ｂ）に示すように、受信に成功した無線タグ９０３ａ〜９０３ｃのＩＤのデータを、データファイル（データベース）６より取得してファインダ兼表示部９１０に表示する。
【００６３】
図１３は、本実施形態の携帯情報端末で表示する前記選択画面の第１の表示例と、その後の操作例とを示した図である。
同図（ａ）に示すように、表示−撮影モード切替えボタン９１４により表示モードに設定されているときに選択画面１３０１をファインダ兼表示部９１０に表示する。
【００６４】
その後、同図（ｂ）に示すように、任意のサムネイル画像１３０２ａが選択された状態で決定ボタン９１３が押されると、同図（ｃ）に示すように、属性登録画面１３０３に切り替わり、ユーザは、この属性登録画面１３０３を用いて属性の入力を行う。
【００６５】
このようにして属性を入力した後、属性登録画面１３０３にある登録ボタン１３０４を押すことにより入力された属性が確定する。属性登録画面１３０３の詳細については図１５を用いて後述する。
【００６６】
図１４は、本実施形態の携帯情報端末で表示する前記選択画面の第２の表示例と、その後の操作例とを示した図である。
同図（ａ）に示すように、表示−撮影モード切替えボタン９１４により表示モードに設定されているときに選択画面１３０１をファインダ兼表示部９１０に表示する。
【００６７】
その後、同図（ｂ）に示すように、任意のサムネイル画像１３０２ｂが選択された状態で通信ボタン９１５が押されると、受信可能範囲内における無線タグ９０３のＩＤの受信を開始し、選択画面１３０１で選択されたサムネイル画像１３０２ｂに含まれるＩＤと、前記受信手段により検出されたＩＤとを比較し、その結果を通知する。
【００６８】
本実施形態では、同図（ｃ）に示す通知画面１４０１に示すようにして通知を行う。具体的に説明すると、正しく検出されたＩＤのリストと、検出比較ステータスを表すメッセージとを含む通知画面１４０１をファインダ兼表示部９１０に表示する。
【００６９】
同図（ｃ）に示した例では、選択画面１３０１で選択されたサムネイル画像１３０２ｂに含まれるＩＤと、前記受信手段により検出されたＩＤとが一致した場合であり、全て正しく検出されたことを示すメッセージとなっているが、これらが一致せず、検出結果に不足があった場合や、検出結果に過剰なＩＤが含まれている場合には、それぞれ対応したエラーメッセージを表示するものとする。
【００７０】
なお、本実施形態では、通知方法として、データ及びメッセージを表示するようにしたが、ランプを点灯または点滅させたりする等して光により通知を行ったり、ビープ音（電子音）を発音させたりする等して音により通知を行ったりするようにしてもよい。
【００７１】
図１５は、本実施形態の携帯情報処理端末で表示する属性登録画面１３０３の例を示す図である。
同図に示すように、携帯情報処理端末９０１で表示する属性登録画面１３０３は、データメモリ（データベース）６から指定のＩＤテーブル８のデータを表示する登録画面１３０３ａと、登録画面１３０３ａ上でカーソルキー９１２によってセル単位で移動する入力エリア１３０３ｂと、入力エリア１３０３ｂに文字列を入力するペン入力エリア１３０３ｃと、ペン入力エリア１３０３ｃにより入力された文字列のデータをデータメモリ（データベース）６への登録を確定する登録ボタン１３０４などとからなる。
【００７２】
登録画面１３０３ａとペン入力エリア１３０３ｃとは、固定の領域が与えられており、登録画面１３０３ａに表示されるデータが一定数を超えた場合には同画面の右端にスクロールバー１５０１を表示する。
１５０３は、ペン入力に用いられるスタイラスの例である。
【００７３】
図１６は、本実施形態の携帯情報処理端末における前記受信手段を起動させたときの第２の流れを示すフローチャートである。
同図に示すように、前記受信手段が起動されると、ステップｓ１６０１において、ＩＤ取得開始ボタンが押されるまで待機し、前記ＩＤ取得開始ボタンが押されるとステップｓ１６０２に進み、無線タグ９０３のＩＤの取得を行う。
【００７４】
次に、ステップｓ１６０３において、前記ＩＤ取得終了ボタンが押されるまで待機し、前記ＩＤ取得終了ボタンが押されると、ステップｓ１６０４に進み、所定のテンポラリリスト生成手段を起動し、取得した無線タグ９０３のＩＤより、テンポラリの受信ＩＤリストを生成して終了する。
【００７５】
図１７は、本実施形態における携帯情報処理端末の概観の第２の例を示す図である。なお、同図において、図１及び図９に示した携帯情報処理端末と同一の部分については同一の符号を付して詳細な説明を省略する。
【００７６】
同図に示すように、携帯情報処理端末１７０１は、タグＩＤ受信カード１０と、撮像装置１２と接続可能であり、ファインダ兼表示部９１０と、ハードボタンとしてシャッターボタン９１１、カーソルキー９１２、決定ボタン９１３、表示−撮影モード切替えボタン９１４、及びＩＤ取得開始−終了ボタン１７１０とを備えるものとする。ここで、ＩＤ取得開示−終了ボタン１７０が、前記図１６を用いて説明したＩＤ取得開示ボタンとＩＤ取得終了ボタンに相当する。
【００７７】
（第１の具体例）
以下に、本実施形態の携帯情報端末の動作の第１の具体例を上記のフローチャートを用いながら流れを追って説明する。
図９のようなハードウェア構成と、図１のようなシステム構成とを持つ携帯情報端末において、例えば、図１１（ａ）に示すように、タグＩＤ受信カード１０と撮像装置１２とを、携帯情報端末に装着した状態であるとする。
【００７８】
本例では、本体において、電源が投入されてシステムが起動し、図２のステップｓ２０２で説明した電源投入後のシステムの初期化処理を行い、ステップｓ２０４において、モードが撮影であると判断されたとする。
【００７９】
そして、図１１（ａ）に示したように、シャッターボタン９１１が押されると、図２のステップｓ２０６に進み、ファインダ兼表示部９１０に表示された被写体の画像の撮影が行われる。
【００８０】
続いて、図２のステップｓ２０７において、前記受信手段が自動的に起動し、無線タグ９０３のＩＤの受信を行う。このとき、図１１（ｂ）に示したように、撮影された被写体の近傍、すなわち本装置（携帯情報処理端末９０１）が撮影時に存在した位置より受信可能な範囲内において受信可能な無線タグ９０３のＩＤが取得されることになる。
【００８１】
このようにして無線タグ９０３のＩＤを受信すると、図３のステップｓ３０２において、受信ＩＤリストを生成し、図２のステップｓ２０８において、前記ＩＤ登録手段を起動し図４に示した処理を行う。
【００８２】
具体的には、図４のステップｓ４０１において、受信した無線タグ９０３のＩＤが複数であった場合には、新規グループのＩＤをデータメモリ（データベース）６より取得し、ステップｓ４０６において、受信した無線タグ９０３のＩＤと、グループＩＤと、撮影された画像のサムネイルＩＤとをセットにしてＩＤテーブル８に追加する。
【００８３】
（第２の具体例）
次に、本実施形態の携帯情報端末の動作の第２の具体例を上記のフローチャートを用いながら流れを追って説明する。
本例においても第１の具体例と同様に、本体において、電源が投入されてシステムが起動し、図２のステップｓ２０２で説明した電源投入後のシステムの初期化処理を行い、ステップｓ２０４において、モードが撮影であると判断されたとする。
【００８４】
そして、図１２（ａ）に示したように、通信ボタン９１５が押されると、図２のステップｓ２０９において、前記受信手段が自動的に起動し、ファインダ兼表示部９１０に表示された被写体に対して、無線タグ９０３のＩＤの受信を行う。
【００８５】
このとき、撮影された被写体の近傍、この場合は、バッグ１２００等の中に無線タグ９０３を備えた物品９０２が入っており、視覚的には物品９０２そのものを認識することは不可であるが、タグＩＤカード１０を装着した携帯情報処理端末９０１をバック１２００にかざすことにより、無線タグ９０３を受信することが可能な範囲内に携帯情報処理端末９０１をおき、受信可能な無線タグ９０３のＩＤを取得する。
【００８６】
その結果、図２のステップｓ２１０において、前記受信ＩＤ表示手段を起動し、図６のステップｓ６０２において、受信ＩＤリストと一致するＩＤテーブル８のデータをデータメモリ（データベース）６より取得する。
【００８７】
次に、ステップｓ６０３において、図１２（ｂ）に示したように、受信された無線タグ９０３のＩＤのデータメモリ（データベース）６内の対応するデータ、すなわち上記取得したＩＤテーブル８のデータを表示する。
【００８８】
（第３の具体例）
次に、本実施形態の携帯情報端末の動作の第３の具体例を上記のフローチャートを用いながら流れを追って説明する。
本例においては、本体において、電源が投入されてシステムが起動し、図２のステップｓ２０２で説明した電源投入後のシステムの初期化処理を行い、ステップｓ２０４において、モードが表示であると判断されたとする。
【００８９】
そして、図２のステップｓ２１１において、図１３（ａ）に示したような選択画面１３０１を表示する。
この選択画面１３０１において、カーソルキー９１２を用いてサムネイル画像の選択を行い、図１３（ｂ）に示したようにして決定ボタン９１３が押されると、図２のステップｓ２１３において、前記属性登録手段を起動し、図５のステップｓ５０１において、図１５（ａ）にあるような属性登録画面１３０３を表示する。
【００９０】
これは、選択されたサムネイル画像に関連付けられているデータを、ＩＤテーブル８より取得したものであり、ここで入力されたデータは、そのままＩＤテーブル８に書き込まれ、データメモリ（データベース）６に格納される。
【００９１】
この属性登録画面１３０３が表示されると、まず図５のステップｓ５０２において、入力エリア１３０３ｂが属性登録画面１３０３の先頭にセットされ、これはカーソルキー９１２により移動可能である。
【００９２】
そして、スタイラス１５０３を用いて、図１５に示したペン入力エリア１３０３ｃに対してペン入力を開始すると、図５のステップｓ５０５において、前記ペン入力手段を起動し、ペン入力の内容を認識する。
【００９３】
次に、属性登録画面１３０３上にある登録ボタン１３０４が押されると、図５のステップｓ５０６で属性が登録されたか否かを判別し、登録された場合には、これまでにペン入力エリア１３０３ｃに入力された文字列が、テキストデータとして、入力エリア１３０３ｂに格納される。
【００９４】
（第４の具体例）
次に、本実施形態の携帯情報端末の動作の第４の具体例を上記のフローチャートを用いながら流れを追って説明する。
本例においても前記第３の具体例と同様に、本体において、電源が投入されてシステムが起動し、図２のステップｓ２０２で説明した電源投入後のシステムの初期化処理を行い、ステップｓ２０４において、モードが表示であると判断されたとする。
【００９５】
そして、図２のステップｓ２１１において、図１４（ａ）に示したような選択画面１３０１を表示する。
この選択画面１３０１において、カーソルキー９１２を用いてサムネイル画像の選択を行い、図２のステップｓ２１２において、図１４（ｂ）に示したようにして、通信ボタン９１５が押されると、図２のステップｓ２１４において、前記受信手段を起動し、ステップｓ３０２において、受信したＩＤのリスト（受信ＩＤリスト）を生成する。
【００９６】
続いて、ステップｓ２１５において、前記照合手段を起動し、図７のステップｓ７０１において、選択された画像サムネイルに対応づけられたデータをＩＤテーブル８より取得して選択リストを生成し、カウンタを０にセットする。
【００９７】
そして、図７のステップｓ７０２以下の処理により、前記選択リストと受信ＩＤリストとをひとつひとつ比較し、一致する場合には、ステップｓ７０６において前記カウンタを１つ進め、前記選択リストのＩＤに一致する受信ＩＤリストのＩＤが無かった場合には、ステップｓ７０８において、該当する選択リストのＩＤを検出失敗バッファに格納する。
【００９８】
このようにして全ての比較が終わったら、ステップｓ７０９において、選択リストのＩＤ数と、受信リストのＩＤ数と、カウンタの数とをチェックし、全て同数であった場合には「Ｔｒｕｅ」を返して終了する。
【００９９】
図１４（ｃ）に示した例では、全て正しく比較され、「Ｔｒｕｅ」が返ってきた場合を示しており、検出された無線タグのＩＤに対応するデータメモリ（データベース）６内のＩＤテーブル８のデータと、正しく検出された旨を示すメッセージとを表示する。
【０１００】
（第５の具体例）
次に、本実施形態の携帯情報端末の動作の第５の具体例を上記のフローチャートを用いながら流れを追って説明する。
本例では、例えば、図１７（ａ）に示したように、タグＩＤ受信カード１０と撮像装置１２とを、携帯情報処理端末１７０１に装着した状態であるとする。
また、本例では、本体において、電源が投入されてシステムが起動し、図２のステップｓ２０２で説明した電源投入後のシステムの初期化処理を行い、ステップｓ２０４において、モードが撮影であると判断されたとする。
【０１０１】
そして、図１７（ａ）に示したようにしてシャッターボタン９１１が押されると、ファインダ兼表示部９１０に表示された被写体の画像の撮影を行う。続いて図２のステップｓ２０７において、前記受信手段が自動的に起動し、図１６のステップｓ１６０１で前記ＩＤ取得開始ボタンが押されてから（ＩＤ取得開始−終了ボタン１７１０によりＩＤ取得の開始が指示されてから）、ステップｓ１６０３で前記ＩＤ取得終了ボタンが押されるまで（ＩＤ取得開始−終了ボタン１７１０によりＩＤ取得の終了が指示されるまで）の間、図１６のステップｓ１６０２において、無線タグ９０３のＩＤの取得を行う。
【０１０２】
このとき、無線タグ９０３のＩＤの取得の方法としては、前記ＩＤ取得開始ボタンが押されてから前記ＩＤ取得終了ボタンが押されるまでの間に受信された無線タグ９０３のＩＤを取得するようにすることが一例としてあげられる。
【０１０３】
また、前記ＩＤ取得開始ボタンが押されてから前記ＩＤ取得終了ボタンが押されるまでの間に、物品９０２のひとつひとつに対して携帯情報処理端末１７０１を接近させることにより受信した無線タグ９０３のＩＤを取得するようにしてもよい。
【０１０４】
このようにして、無線タグ９０３のＩＤを受信すると、図３のステップｓ３０２において、受信ＩＤリストを生成し、前記ＩＤ登録手段を起動し、図４に示した処理を行う。
【０１０５】
具体的には、受信した無線タグ９０３のＩＤが複数であった場合には、新規グループのＩＤをデータメモリ（データベース）６より取得し、ステップｓ４０６において、受信した無線タグ９０３のＩＤと、グループＩＤと、撮影された画像のサムネイルＩＤとをセットにしてＩＤテーブル８に追加する。
【０１０６】
以上のように本実施の形態では、異なるＩＤが付せられた複数の物品を１枚の画像として撮像装置１２により撮影するとともに、前記複数の物品に付せられた無線タグのＩＤを、タグＩＤ受信カード１０を用いて受信し、前記受信した複数の無線タグのＩＤが同一のグループに属することを表すグループＩＤを、前記受信した各々の無線タグのＩＤに属性として付加し、前記付加したグループＩＤと、前記撮影した１枚の画像とを対応付けてデータメモリ（データベース）６に格納するようにしたので、前記複数の物品に対応するＩＤを予めデータベースに入力することなく、前記複数の物品に対応するＩＤを登録することができ、なお且つ前記複数の物品を非常に簡便にグルーピングすることができる。これにより、不特定多数の物品を容易に且つ確実に管理することができるようになる。
【０１０７】
また、撮影装置１２により撮影された画像をサムネイル画像として複数表示し、前記表示した複数のサムネイル画像の中の一枚をユーザに選択させるようにし、前記ユーザにより選択されたサムネイル画像に関連付けられた全ての無線タグのＩＤを、データメモリ（データベース）６から抽出し、前記抽出した全ての無線タグのＩＤと、タグＩＤ受信カード１０により新たに受信された無線タグのＩＤとを比較（照合）し、この比較（照合）した結果をユーザに通知するようにしたので、タグＩＤ受信カード１０により新たに受信された無線タグのＩＤに対応する物品が、データメモリ（データベース）６に登録されている物品であるかどうかを確認することが可能になる。
【０１０８】
これにより、例えば、個人の持ち物と組合せとをデータメモリ（データベース）６に登録し、部屋の中や鞄に対して必要なものが揃っているかどうかを前記のようにしてチェックし、チェックした結果に応じて、必要なものが揃っているかどうかを光、音、メッセージ等によって通知する等の使用形態を採ることが可能になり、忘れ物防止に応用することができる。
【０１０９】
また、同様にして、無線タグのＩＤが付された物品が任意の場所（部屋の中や、鞄の中など）に存在するかどうかのチェックを、移動しながら行う等の使用形態を採ることが可能になり、紛失物探索にも応用することができる。
【０１１０】
また、工場などの部品管理において、完成品を構成する各部品に無線タグを付しておき、各部品に付した無線タグのＩＤを完成品の写真に対応付けてデータメモリ（データベース）６に登録して前記各部品管理する等の使用形態を採ることが可能になり、必要な組み立て部品または箱詰め部品が正しく揃っているかの検品管理にも応用することができる。このように、本発明は携帯端末に限定されない。また、無線タグとしてはバッテリ内蔵タイプにもバッテリを内蔵しないタイプにも本発明を適用できる。
【０１１１】
さらに、本実施形態では、一旦登録した属性を後から追加したり削除したりするなどして物品を管理することができるようにしたので、管理対象となる物品の追加、変更、及び削除を容易に行うことができる。
【０１１２】
（本発明の他の実施形態）
前述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【０１１３】
また、この場合、前記ソフトウェアのプログラムコード自体が前述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１１４】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれることは言うまでもない。
【０１１５】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれることは言うまでもない。
【０１１６】
以下に本発明の実施態様の例を以下に列挙する。
（実施態様１）
複数の物品に付せられた複数の無線タグのＩＤ（ｉｄｅｎｔｉｆｉｃａｔｉｏｎ）を受信する受信手段と、
前記受信手段により受信された複数の無線タグのＩＤが、同一のグループに属することを表すグループＩＤを、前記受信手段により受信された各々の無線タグのＩＤに、属性として付加するグループＩＤ付加手段と、
前記複数の無線タグのＩＤと、前記複数の無線タグのＩＤに関連する前記複数の物品の情報とを対応付けて登録する対応付け手段とを含むことを特徴とする物品管理装置。
【０１１７】
（実施態様２）  異なるＩＤ（ｉｄｅｎｔｉｆｉｃａｔｉｏｎ）を有する無線タグが付せられた複数の物品を一枚の画像として撮影する撮影手段を有し、
前記対応付け手段は、前記複数の物品の情報としての前記撮影手段により撮影された画像と、前記複数の無線タグＩＤが同一のグループに属することを表す前記グループＩＤとを対応付けることを特徴とする実施態様１に記載の物品管理装置。
【０１１８】
（実施態様３）  前記撮影手段により撮影された複数の画像の中から一枚の画像をユーザに選択させるようにする画像選択手段と、
前記画像選択手段により選択された画像に関連付けられた複数の無線タグのＩＤを、データベースから抽出する無線タグＩＤ抽出手段と、
前記受信手段により新たに受信された無線タグのＩＤと、前記無線タグＩＤ抽出手段により抽出された複数の無線タグのＩＤとを比較する無線タグＩＤ比較手段と、
前記無線タグＩＤ比較手段により比較された結果をユーザに通知する通知手段とを含むことを特徴とする実施態様２に記載の物品管理装置。
【０１１９】
（実施態様４）  前記受信手段により受信される複数の無線タグのＩＤは、前記撮影手段による撮影とほぼ同時に取得されることを特徴とする実施態様２または３に記載の物品管理装置。
【０１２０】
（実施態様５）  前記複数の無線タグのＩＤは、前記撮影手段による撮影後、前記受信手段による受信のための操作が物品ごとに行われることによって取得されることを特徴とする実施態様２または３に記載の物品管理装置。
【０１２１】
（実施態様６）  前記通知手段は、前記無線タグＩＤ比較手段により比較された結果を、文字、または画像表示、または光の点灯、または光の点滅、または音声、または電子音により通知することを特徴とする実施態様３〜５の何れか１態様に記載の物品管理装置。
【０１２２】
（実施態様７）  前記複数の無線タグは、読み出し専用の微細なものであることを特徴とする実施態様２〜６の何れか１態様に記載の物品管理装置。
【０１２３】
（実施態様８）  複数の物品に付せられた複数の無線タグのＩＤ（ｉｄｅｎｔｉｆｉｃａｔｉｏｎ）を受信する受信手段と、
前記受信手段により受信された複数の無線タグのＩＤが、同一のグループに属することを表すグループＩＤを、前記受信手段により受信された各々の無線タグのＩＤに、属性として付加するグループＩＤ付加手段と、
前記複数の無線タグのＩＤと、前記複数の無線タグのＩＤに関連する前記複数の物品の情報とを対応付ける対応付け手段とを含むことを特徴とする物品管理システム。
【０１２４】
（実施態様９）  複数の物品に付せられた複数の無線タグのＩＤ（ｉｄｅｎｔｉｆｉｃａｔｉｏｎ）を受信する受信処理と、
前記受信処理により受信された複数の無線タグのＩＤが、同一のグループに属することを表すグループＩＤを、前記受信処理により受信された各々の無線タグのＩＤに、属性として付加するグループＩＤ付加処理と、
前記複数の無線タグのＩＤと、前記複数の無線タグのＩＤに関連する前記複数の物品の情報とを対応付ける対応付け処理とを含むことを特徴とする物品管理方法。
【０１２５】
（実施態様１０）  異なるＩＤ（ｉｄｅｎｔｉｆｉｃａｔｉｏｎ）を有する無線タグが付せられた複数の物品を一枚の画像として撮影する撮影処理を含み、
前記対応付け処理は、前記複数の物品の情報としての前記撮影処理により撮影された画像と、前記複数の無線タグＩＤが同一のグループに属することを表す前記グループＩＤとを対応付けることを特徴とする実施態様９に記載の物品管理方法。
【０１２６】
（実施態様１１）  前記撮影処理により撮影された複数の画像の中から一枚の画像をユーザに選択させるようにする画像選択処理と、
前記画像選択処理により選択された画像に関連付けられた複数の無線タグのＩＤを、データベースから抽出する無線タグＩＤ抽出処理と、
前記受信処理により新たに受信された無線タグのＩＤと、前記無線タグＩＤ抽出処理により抽出された複数の無線タグのＩＤとを比較する無線タグＩＤ比較処理と、
前記無線タグＩＤ比較処理により比較された結果をユーザに通知する通知処理とを含むことを特徴とする実施態様１０に記載の物品管理方法。
【０１２７】
（実施態様１２）  前記受信処理により受信される複数の無線タグのＩＤは、前記撮影処理による撮影とほぼ同時に取得されることを特徴とする実施態様１０または１１に記載の物品管理方法。
【０１２８】
（実施態様１３）  前記複数の無線タグのＩＤは、前記撮影処理による撮影後、前記受信処理による受信のための操作が物品ごとに行われることによって取得されることを特徴とする実施態様１０または１１に記載の物品管理方法。
【０１２９】
（実施態様１４）  前記通知処理は、前記無線タグＩＤ比較処理により比較された結果を、文字、または画像表示、または光の点灯、または光の点滅、または音声、または電子音により通知することを特徴とする実施態様１１〜１３の何れか１態様に記載の物品管理方法。
【０１３０】
（実施態様１５）  複数の物品に付せられた複数の無線タグのＩＤ（ｉｄｅｎｔｉｆｉｃａｔｉｏｎ）を受信する受信処理と、
前記受信処理により受信された複数の無線タグのＩＤが、同一のグループに属することを表すグループＩＤを、前記受信処理により受信された各々の無線タグのＩＤに、属性として付加するグループＩＤ付加処理と、
前記複数の無線タグのＩＤと、前記複数の無線タグのＩＤに関連する前記複数の物品の情報とを対応付ける対応付け処理とを含む処理をコンピュータに実行させることを特徴とするコンピュータプログラム。
【０１３１】
（実施態様１６）  前記実施態様１５に記載のコンピュータプログラムを記録したことを特徴とするコンピュータ読み取り可能な記録媒体。
【０１３２】
（実施態様１７）  画像を撮像するための撮像手段、
前記撮像手段による１枚の画像の撮像動作に伴って無線タグの検出をおこなう検出手段、
前記撮像手段による１枚の画像の撮像動作に伴って前記検出手段によって検出された複数の無線ＩＤタグ情報をグループ化して登録する登録手段、
を有する管理装置。
【０１３３】
（実施態様１８）  前記登録手段は自動的に登録を行うことを特徴とする実施態様１７の管理装置。
【０１３４】
（実施態様１９）  前記検出手段は前記撮像手段の撮像方向に対応した指向性を有することを特徴とする実施態様１７の管理装置。
【０１３５】
（実施態様２０）  前記検出手段は前記撮像手段の撮像視野に対応した角度の指向性を有することを特徴とする実施態様１７の管理装置。
【０１３６】
（実施態様２１）  画像を表示する表示手段、
前記表示手段によって表示された１つの画像に対して複数の無線ＩＤタグ情報をグループ化して登録する登録手段、
を有する管理装置。
【０１３７】
（実施態様２２）  前記登録手段によって登録された複数の無線ＩＤタグ情報のグループを解除するための解除手段を有することを特徴とする実施態様２１の管理装置。
【０１３８】
（実施態様２３）  画像を表示する表示手段、
前記表示手段によって表示された１つの画像に対して予めグループとして登録された複数の無線ＩＤタグ情報のグループを解除する解除手段を有する管理装置。
【０１３９】
（実施態様２４）  複数の無線タグＩＤ情報を予めグループ登録して記憶する記憶手段、
無線タグＩＤ情報を検出する検出手段、
前記検出手段によって検出された複数の無線タグＩＤ情報と前記記憶手段に予め記憶されたグループ登録された複数の無線タグＩＤ情報とを比較して、前記グループ登録された複数の無線タグＩＤ情報が全て揃って検出されない場合に警告を行う警告手段、を有する管理装置。
【０１４０】
（実施態様２５）  複数の無線タグＩＤ情報を予めグループ登録して記憶する記憶ステップ、
無線タグＩＤ情報を検出する検出ステップ、
前記検出ステップによって検出された複数の無線タグＩＤ情報と前記記憶ステップで予め記憶されたグループ登録された複数の無線タグＩＤ情報とを比較して、前記グループ登録された複数の無線タグＩＤ情報が全て揃って検出されない場合に警告を行う警告ステップ、を有する無線タグＩＤ検出方法。
【０１４１】
（実施態様２６）  実施態様２５の無線タグＩＤ検出方法における各ステップをコンピュータによって実行させるためのコンピュータプログラム。
【０１４２】
（実施態様２７）  実施態様２６のコンピュータプログラムを記録したコンピュータ読取可能な記録媒体。
【０１４３】
（実施態様２８）  画像を撮像するための撮像ステップ、
前記撮像ステップによる１枚の画像の撮像動作に伴って無線タグの検出をおこなう検出ステップ、
前記撮像ステップによる１枚の画像の撮像動作に伴って前記検出ステップによって検出された複数の無線ＩＤタグ情報をグループ化して登録する登録ステップ、
を有する撮像方法。
【０１４４】
（実施態様２９）  前記登録ステップは自動的に登録を行うことを特徴とする実施態様２８の撮像方法。
【０１４５】
（実施態様３０）  前記検出ステップは前記撮像ステップの撮像方向に対応した指向性を有することを特徴とする実施態様２８の撮像方法。
【０１４６】
（実施態様３１）  前記検出ステップは前記撮像ステップの撮像視野に対応した角度の指向性を有することを特徴とする実施態様２８の撮像方法。
【０１４７】
（実施態様３２）  実施態様２８の前記撮像方法の各ステップをコンピュータに実行させるためのコンピュータプログラム。
【０１４８】
（実施態様３３）  画像を表示する表示ステップ、
前記表示ステップによって表示された１つの画像に対して複数の無線ＩＤタグ情報をグループ化して登録する登録ステップ、
を有する無線ＩＤタグ情報登録方法。
【０１４９】
（実施態様３４）  前記登録ステップによって登録された複数の無線ＩＤタグ情報のグループを解除するための解除ステップを有することを特徴とする実施態様３３の登録方法。
【０１５０】
（実施態様３５）  実施態様３４の登録方法の各ステップをコンピュータに実行させるためのコンピュータプログラム。
【０１５１】
（実施態様３６）  実施態様３５のコンピュータプログラムを記録したコンピュータ読出し可能な記録媒体。
【０１５２】
（実施態様３７）  画像を表示する表示ステップ、
前記表示ステップによって表示された１つの画像に対して予めグループとして登録された複数の無線ＩＤタグ情報のグループを解除する解除ステップを有する登録解除方法。
【０１５３】
（実施態様３８）  実施態様３７の前記登録解除方法の各ステップをコンピュータに実行させるためのコンピュータプログラム。
【０１５４】
（実施態様３９）  実施態様３８のコンピュータプログラムを記録したコンピュータ読取可能な記録媒体。
【０１５５】
【発明の効果】
以上説明したように本発明によれば、複数の物品を非常に簡便にグルーピングすることができる。これにより、多数の物品を容易に且つ確実に管理することができるようになる。
【図面の簡単な説明】
【図１】本発明の実施形態を示し、携帯情報処理端末のハードウェア構成の一例を示すブロック図である。
【図２】本発明の実施形態を示し、携帯情報処理端末におけるシステム全体の流れを示すフローチャートである。
【図３】本発明の実施形態を示し、携帯情報処理端末における受信手段を起動させたときの第１の流れを示すフローチャートである。
【図４】本発明の実施形態を示し、携帯情報処理端末におけるＩＤ登録手段を起動させたときの流れを示すフローチャートである。
【図５】本発明の実施形態を示し、携帯情報処理端末における属性登録手段を起動させたときの流れを示すフローチャートである。
【図６】本発明の実施形態を示し、携帯情報処理端末における受信ＩＤ表示手段を起動させたときの処理の流れを示すフローチャートである。
【図７】本発明の実施形態を示し、携帯情報処理端末における照合手段を起動させたときの処理の流れを示すフローチャートである。
【図８】本発明の実施形態を示し、携帯情報処理端末における通知手段を起動させたの流れを示すフローチャートである。
【図９】本発明の実施形態を示し、携帯情報処理端末の概観の第１の例を示す図である。
【図１０】本発明の実施形態を示し、携帯情報処理端末のデータベース構造の一例を示す図である。
【図１１】本発明の実施形態を示し、携帯情報端末で撮影及びＩＤ登録を行う際の概念を説明するイメージ図である。
【図１２】本発明の実施形態を示し、携帯情報端末で撮影及び登録を伴わない受信ＩＤリストを表示する際の概念を説明するイメージ図である。
【図１３】本発明の実施形態を示し、携帯情報端末で表示する選択画面の第１の表示例と、その後の操作例とを示した図である。
【図１４】本発明の実施形態を示し、携帯情報端末で表示する選択画面の第２の表示例と、その後の操作例とを示した図である。
【図１５】本発明の実施形態を示し、携帯情報処理端末で表示する属性登録画面の例を示す図である。
【図１６】本発明の実施形態を示し、携帯情報処理端末における受信手段を起動させたときの第２の流れを示すフローチャートである。
【図１７】本発明の実施形態を示し、携帯情報処理端末の概観の第２の例を示す図である。
【符号の説明】
１  入力部
２  表示部
３  入出力インターフェース
４  ＭＰＵ
５  プログラムメモリ
６  データメモリ
７  ファイルデータベース
８  ＩＤリストテーブル
９  バス
１０  タグＩＤ受信カード
１１  カードスロット
１２  撮像装置
１３  カメラインターフェース
【図１】
2004258908.tif 000003
【図２】
2004258908.tif 000004
【図３】
2004258908.tif 000005
【図４】
2004258908.tif 000006
【図５】
2004258908.tif 000007
【図６】
2004258908.tif 000008
【図７】
2004258908.tif 000009
【図８】
2004258908.tif 000010
【図９】
2004258908.tif 000011
【図１０】
2004258908.tif 000012
【図１１】
2004258908.tif 000013
【図１２】
2004258908.tif 000014
【図１３】
2004258908.tif 000015
【図１４】
2004258908.tif 000016
【図１５】
2004258908.tif 000017
【図１６】
2004258908.tif 000018
【図１７】
2004258908.tif 000019